(57)【要約】      （修正有）【課題】多数の先施工アンカーを、スチールフォームの内側から設置・固定し、スチールフォームの解体前に、先施工アンカーの固定を容易に解除することができる先施工アンカー設置構造体を提供する。【解決手段】先施工アンカー設置構造体においては、台座１を挿通し、先施工アンカー３の孔内に挿入されたアンカー固定ボルト２を回転されて、アンカー固定ボルト２の外周面に形成されたねじ２ａが、先施工アンカー３の孔の内周面に形成されたねじ４ａに螺合し、スキンプレート１２の表面に設けられた型枠固定リング１１の内周面に形成されたねじ１１ａに台座１の外表面に形成されたねじ１ａが螺合され、台座１がスキンプレート１２に当接している。【選択図】図５
0003184126.tif 000002
【実用新案登録請求の範囲】
【請求項１】
アンカー固定ボルトと、前記アンカー固定ボルトが挿通可能で、前記アンカー固定ボルトを支持可能な台座と、スチールフォームのスキンプレートの内側に、前記台座を保持する台座保持部材と、前記アンカー固定ボルトを挿入可能な孔が形成され、前記台座保持部材に囲まれた、前記スチールフォームの外表面に形成されたスキンプレートの部分に形成された孔に挿通可能な先施工アンカーとを備え、さらに、前記先施工アンカーの前記孔内に挿入された前記アンカー固定ボルトを固定し、固定状態を解除可能なボルト固定解除手段と、前記台座を前記台座保持部材に固定し、固定状態を解除可能な台座固定解除手段とを備え、前記台座保持部材に囲まれた前記スキンプレートの部分に形成された前記孔の径が前記先施工アンカーの最大外径よりも大きく、前記スチールフォームが解体可能であることを特徴とする先施工アンカーの設置構造。
【請求項２】
前記ボルト固定解除手段が、前記先施工アンカーの内周面に形成されたねじおよびアンカー固定ボルトの外周面に形成されたねじによって構成されていることを特徴とする請求項１に記載の先施工アンカーボルトの設置構造。
【請求項３】
前記台座保持部材が円環状のリングによって構成され、前記台座固定解除手段が、前記台座の外周面に形成されたねじと、前記ねじと噛合する前記円環状のリングの内周面に形成されたねじとによって構成されていることを特徴とする請求項１または２に記載の先施工アンカーボルトの設置構造。
【請求項４】
前記台座保持部材が一対の台座固定部材によって構成され、前記台座固定解除手段が、前記一対の台座固定部材に形成された開口部と、前記一対の台座固定部材の間に設置され、上面が傾斜した台座と、前記一対の台座固定部材に形成された前記開口部に、前記台座の上面に沿って、嵌合可能な楔状部材によって構成されていることを特徴とする請求項１または２に記載の先施工アンカーボルトの設置構造。
【考案の詳細な説明】
【技術分野】
【０００１】
本考案は、スチールフォームまたはスライドセントラル（本明細書においては、総称して「スチールフォーム」という。）の内側から、先施工アンカーを設置する設置構造に関するものであり、さらに詳細には、多数の先施工アンカーを、スチールフォームの内側から設置して、固定し、スチールフォームの解体前に、アンカー固定ボルトの固定を容易に解除することができる、スチールフォームの内側から、先施工アンカーを設置する設置構造に関するものである。
【背景技術】
【０００２】
シールドトンネルの二次覆工にアンカーを設置する方法としては、一般に、ドリルやコア抜きによって、二次覆工のコンクリートに孔を開け、孔内にアンカーを挿入して、接着剤で固定する方法や、孔内に拡底式のアンカーを挿入して、機械的に固定する方法が用いられている。
【０００３】
これらのアンカーのうち、先施工アンカーを設置することが要求されることは比較的稀であるが、その場合には、スチールフォームのコンクリート締め固め用の窓や、アンカー設置用の窓をスキンプレートに予め形成しておき、これらの窓を介して、スキンプレートに開けた孔にアンカーを挿入し、アンカー固定ボルトによって固定するのが通常である。
【考案の概要】
【考案が解決しようとする課題】
【０００４】
しかるに、昨今、後施工アンカーが抜け出すなどの問題が発生している。このような問題は、コンクリートの打設前に、あらかじめ、多数の先施工アンカーを設置し、その後に、コンクリートを打設することによって防止することができる。
【０００５】
しかしながら、設置すべきアンカーの数が非常に多くなった場合には、アンカーを設置するために、スチールフォームのコンクリート締め固め用の窓やアンカー設置用の窓を形成できない箇所が数多く出てくるという問題があった。
【０００６】
それでも、スチールフォームの外側の空間に作業者が入ることできれば、多数のアンカーを設置することが可能になるが、一次覆工と二次覆工との間隙は通常２５ｃｍないし４０ｃｍと非常に狭いため、作業者が一次覆工と二次覆工との空間に入って、作業することは著しく困難である。
【０００７】
したがって、本考案は、多数の先施工アンカーを、スチールフォームの内側から設置して、固定し、スチールフォームの解体前に、先施工アンカーの固定を容易に解除することができ、スチールフォームの内側から、先施工アンカーを設置する構造を提供することを目的とするものである。
【課題を解決するための手段】
【０００８】
本考案のかかる目的は、アンカー固定ボルトと、前記アンカー固定ボルトが挿通可能で、前記アンカー固定ボルトを支持可能な台座と、スチールフォームのスキンプレートの内側に、前記台座を保持する台座保持部材と、前記アンカー固定ボルトを挿入可能な孔が形成され、前記台座保持部材に囲まれた、前記スチールフォームの外表面に形成されたスキンプレートの部分に形成された孔に挿通可能な先施工アンカーとを備え、さらに、前記先施工アンカーの前記孔内に挿入された前記アンカー固定ボルトを固定し、固定状態を解除可能なボルト固定解除手段と、前記台座を前記台座保持部材に固定し、固定状態を解除可能な台座固定解除手段とを備え、前記台座保持部材に囲まれた前記スキンプレートの部分に形成された前記孔の径が前記先施工アンカーの最大外径よりも大きく、前記スチールフォームが解体可能であることを特徴とする先施工アンカーの設置構造によって達成される。
【０００９】
本考案によれば、アンカー固定ボルトを台座に挿通し、さらに、先施工アンカーに形成された孔内に挿入し、ボルト固定解除手段によって、アンカー固定ボルトを先施工アンカーに形成された孔内に固定することにより、先施工アンカーとアンカー固定ボルトを備えた先施工アンカーユニットを形成することができ、こうして得られた先施工アンカーユニットの先施工アンカーを、台座保持部材に囲まれた、前記スチールフォームの外表面に形成されたスキンプレートの部分に形成された孔内に挿通し、台座固定解除手段によって、台座を台座保持部材に固定することによって、先施工アンカーユニットをスチールフォームの外表面に設けられたスキンプレートに固定して、先施工アンカーの設置構造体を構築することができ、その後に、スチールフォームの外表面に形成されたスキンプレートの表面に二次覆工コンクリートを打設し、二次覆工コンクリートの固化後に、ボルト固定解除手段によって、アンカー固定ボルトと先施工アンカーとの間の固定状態を解除して、先施工アンカーから、アンカー固定ボルトを撤去し、台座固定解除手段によって、台座と台座保持部材との間の固定状態を解除して、台座を撤去して、スチールフォームを解体することによって、二次覆工コンクリート内に、スチールフォームの内側からの作業で、先施工アンカーを設置することが可能になる。
【００１０】
本考案の好ましい実施態様においては、前記ボルト固定解除手段が、前記先施工アンカーの内周面に形成されたねじおよびアンカー固定ボルトの外周面に形成されたねじによって構成されている。
【００１１】
本考案のさらに好ましい実施態様においては、前記台座保持部材が円環状のリングによって構成され、前記台座固定解除手段が、前記台座の外周面に形成されたねじと、前記ねじと噛合する前記円環状のリングの内周面に形成されたねじとによって構成されている。
【００１２】
本考案の好ましい実施態様によれば、アンカー固定ボルトを台座に挿通し、先施工アンカーに形成された孔内に挿入し、ボルト固定解除手段によって、アンカー固定ボルトを先施工アンカーに形成された孔内に固定することによって、先施工アンカーとアンカー固定ボルトを備えた先施工アンカーユニットを形成することができ、こうして得られた先施工アンカーユニットの先施工アンカーを円環状のリングに囲まれたスキンプレートの部分に形成された孔に挿入しつつ、円環状のリング内に受け入れられた台座を、台座固定解除手段によって、円環状のリング内に固定することによって、先施工アンカーの設置構造体を構築することができ、その後に、スチールフォームの外側に設けられたスキンプレートの表面にコンクリートを打設し、コンクリートの固化後に、ボルト固定解除手段によって、アンカー固定ボルトと先施工アンカーとの間の固定状態を解除して、先施工アンカーから、アンカー固定ボルトを撤去し、台座固定解除手段によって、台座の外周面に形成されたねじと円環状のリングの内周面に形成されたねじとの噛合状態を解除して、台座を撤去し、スチールフォームを解体することによって、コンクリート内に、スチールフォームの内側からの作業で、先施工アンカーを設置することが可能になる。
【００１３】
本考案の別の好ましい実施態様においては、前記台座保持部材が一対の台座固定部材によって構成され、前記台座固定解除手段が、前記一対の台座固定部材に形成された開口部と、前記一対の台座固定部材の間に設置され、上面が傾斜した台座と、前記一対の台座固定部材に形成された前記開口部に、前記台座の上面に沿って、嵌合可能な楔状部材によって構成されている。
【００１４】
本考案の別の好ましい実施態様によれば、アンカー固定ボルトを台座に挿通し、先施工アンカーに形成された孔内に挿入し、ボルト固定解除手段によって、アンカー固定ボルトを先施工アンカーに形成された孔内に固定することによって、先施工アンカーとアンカー固定ボルトを備えた先施工アンカーユニットを形成することができ、こうして得られた先施工アンカーユニットの先施工アンカーを、一対の台座保持部材に囲まれたスキンプレートの部分に形成された孔に挿通し、上面が傾斜した台座を一対の台座保持部材の間に配置し、台座の上面に沿って、楔状部材を一対の台座固定部材に形成された開口部に挿通して、嵌合させることによって、先施工アンカーユニットをスチールフォームの外側に設けられたスキンプレートに固定して、先施工アンカーの設置構造体を構築することができ、その後に、スキンプレートの外側に二次覆工コンクリートを打設し、二次覆工コンクリートの固化後に、ボルト固定解除手段によって、アンカー固定ボルトと先施工アンカーとの間の固定状態を解除して、先施工アンカーから、アンカー固定ボルトを撤去し、一対の台座固定部材に形成された開口部から楔状部材を抜き取ることによって、台座と台座保持部材との間の固定状態を解除して、台座を撤去し、スチールフォームを解体することによって、二次覆工コンクリート内に、スチールフォームの内側からの作業で、先施工アンカーを設置することが可能になる。
【考案の効果】
【００１５】
本考案によれば、多数の先施工アンカーを、スチールフォームの内側から設置して、固定し、スチールフォームの解体前に、先施工アンカーの固定を容易に解除することができる、スチールフォームの内側から、先施工アンカーを設置する構造を提供することが可能になる。
【図面の簡単な説明】
【００１６】
【図１】図１は、本考案の好ましい実施態様にかかる先施工アンカーの設置構造を形成するステップを示す工程図である。
【図２】図２は、本考案の好ましい実施態様にかかる先施工アンカーの設置構造を形成するステップを示す工程図である。
【図３】図３は、本考案の好ましい実施態様にかかる先施工アンカーの設置構造を形成するステップを示す工程図である。
【図４】図４は、本考案の好ましい実施態様にかかる先施工アンカーの設置構造を形成するステップを示す工程図で、本考案の好ましい実施態様にかかる先施工アンカーの設置構造体の略縦断面図が示されている。
【図５】図５は、本考案の好ましい実施態様にかかる先施工アンカーの設置構造を形成するステップを示す工程図である。
【図６】図６は、本考案の好ましい実施態様にかかる先施工アンカーの設置構造体を解体するステップを示す工程図である。
【図７】図７は、本考案の好ましい実施態様にかかる先施工アンカーの設置構造体を解体するステップを示す工程図である。
【図８】図８は、本考案の好ましい実施態様にかかる先施工アンカーの設置構造体を解体するステップを示す工程図である。
【図９】図９は、本考案の別の好ましい実施態様にかかる先施工アンカーの設置構造体の略縦断面図である。
【図１０】図１０は、一対の台座固定用部材が設けられたスキンプレートの略上面図である。
【図１１】図１１は、一方の台座固定用部材を図１０の矢印Ａの方向から見た略正面図である。
【図１２】図１２は、他方の台座固定用部材を図１０の矢印Ｂの方向から見た略正面図である。
【図１３】図１３は、楔状部材の略正面図である。
【図１４】図１４は、図１３のＣ−Ｃ線に沿った略断面図である。
【図１５】図１５は、台座が設置されたときの一方の台座固定用部材の略正面図である。
【図１６】図１６は、台座が設置されたときの他方の台座固定用部材の略正面図である。
【考案を実施するための形態】
【００１７】
図１ないし図５は、本考案の好ましい実施態様にかかる先施工アンカーの設置構造体を形成するステップを示す工程図であり、図６ないし図８は、先施工アンカーの設置構造体を解体して、先施工アンカーを設置するステップを示す工程図である。
【００１８】
図１に示されるように、まず、台座１とアンカー固定ボルト２と先施工アンカー３が用意され、台座１に挿通したアンカー固定ボルト２を先施工アンカー３の孔４内に挿入し、アンカー固定ボルト２を回転させて、アンカー固定ボルト２の外周面に形成されたねじ２ａを、先施工アンカー３の孔４の内周面に形成されたねじ４ａに螺合して、図２に示される先施工アンカーユニット５が組み立てられる。
【００１９】
なお、図１ないし図９においては、便宜上、台座１、アンカー固定ボルト２および先施工アンカー３は一部切欠き略側面図によって示されている。
【００２０】
図３に示されるように、スチールフォーム（図示せず）の外側にはスキンプレート１２が設けられており、スキンプレート１２の表面には、溶接などによって型枠固定リング１１が形成されている。型枠固定リング１１によって囲まれたスキンプレート１２には、先施工アンカー３の最大外径よりも大きい径を有する孔１３が形成されている。
【００２１】
したがって、台座１を回転させて、台座１の外周面の一部に形成されたねじ１ａを型枠固定リング１１の内周面に形成されたねじ１１ａに噛合させていくと、先施工アンカー３がスチールフォームの外側に設けられたスキンプレート１２の外側に次第に突出していき、台座１がスキンプレート１２に当接すると、先施工アンカーユニット５がスチールフォームの外側に設けられたスキンプレート１２に固定され、先施工アンカーの設置構造体１５が形成される。
【００２２】
図４は、こうして形成された先施工アンカー設置構造体１５の一部切り欠き略縦側面図である。
【００２３】
図４に示されるように、アンカー固定ボルト２の外周面には、その先端部から全長の約１／３の長さの部分にねじ２ａが形成され、先施工アンカー３の孔４の内周面に形成されたねじ４ａに噛合されるとともに、台座１の外周面の一部に形成されたねじ１ａと型枠固定リング１１の内周面に形成されたねじ１１ａとが噛合されて、先施工アンカーの設置構造体１５が形成されている。
【００２４】
次いで、スキンプレート１２の外側に二次覆工コンクリート１４が打設される。
【００２５】
先施工アンカーの設置構造体１５においては、台座１の外周面の一部に形成されたねじ１ａとスキンプレート１２に設けられた型枠固定リング１１の内周面に形成されたねじ１１ａとが噛合されて、先施工アンカーユニット５がスチールフォームの外側に設けられたスキンプレート１２に強固に固定されているから、コンクリートの流動圧力によって、先施工アンカーの設置構造体１５が変形したり、先施工アンカーの設置構造体１５の構成要素の一部が脱落するような不具合が発生することが防止されている。
【００２６】
図５には、先施工アンカーユニット５をスチールフォームの外側に設けられたスキンプレート１２に固定した後に、スキンプレート１２の外側に二次覆工コンクリート１４が打設された状態が示されている。
【００２７】
こうして打設された二次覆工コンクリート１４が固化した後、図６に示されるように、アンカー固定ボルト２が回転されて、アンカー固定ボルト２の外周面に形成されたねじ２ａと先施工アンカー３の孔４の内周面に形成されたねじ４ａとの間の係合が解除されて、アンカー固定ボルト２が先施工アンカー３から撤去される。
【００２８】
図７に示されるように、さらに、台座１が回転されて、台座１の外周面に形成されたねじ１ａと型枠固定リング１１の内周面に形成されたねじ１１ａとの間の係合が解除されて、台座１が型枠固定リング１１から撤去される。
【００２９】
次いで、スチールフォームが解体されて、スキンプレート１２がコンクリート面から取り去られ、図８に示されるように、先施工アンカー３の設置が完了する。
【００３０】
本実施態様によれば、台座１に挿通したアンカー固定ボルト２を先施工アンカー３の孔４内に挿入し、アンカー固定ボルト２を回転させて、アンカー固定ボルト２の外表面に形成されたねじ２ａと先施工アンカー３の孔４の内表面に形成されたねじ４ａとを噛合させることによって、先施工アンカーユニット５が組み立てられる。先施工アンカーユニット５は、スチールフォームの外周面に配置されたスキンプレート１２の内周面に溶接などによって形成された型枠固定リング１１内に挿入され、台座１を回転させて、台座１の外周面の一部に形成されたねじ１ａを型枠固定リング１１の内周面に形成されたねじ１１ａに噛合させていき、台座１がスチールフォームの外側に設けられたスキンプレート１２の内側表面に当接すると、先施工アンカーユニット５がスチールフォームのスキンプレート１２に固定される。その後、スキンプレート１２の外側に二次覆工コンクリート１２を打設し、二次覆工コンクリート１４が固化した後、アンカー固定ボルト２が回転されて、アンカー固定ボルト２の外周面に形成されたねじ２ａと先施工アンカー３の孔４の内周面に形成されたねじ４ａとの間の係合が解除されて、アンカー固定ボルト２が先施工アンカー３から撤去され、さらに、台座１が回転されて、台座１の外周面に形成されたねじ１ａと型枠固定リング１１の内周面に形成されたねじ１１ａとの間の係合が解除されて、台座１が型枠固定リング１１から撤去されると、スチールフォームが解体され、スキンプレート１２がコンクリート面から取り去られて、先施工アンカー３の設置が完了するように構成されている。
【００３１】
したがって、本実施態様によれば、スチールフォームの内側からの作業のみで、また、従来のように、二次覆工コンクリート１４にドリルなどを用いて、先施工アンカー３を打設する必要がなく、きわめて容易に、先施工アンカー３を所望のように設置することが可能になる。
【００３２】
また、本実施態様によれば、二次覆工コンクリート１４を打設する際には、台座１の外周面に形成されたねじ１ａと、型枠固定リング１１の内周面に形成されたねじ１１ａとが噛合されているので、コンクリートの流動圧力によって、先施工アンカーの設置構造体１５が変形したり、先施工アンカーの設置構造体１５の構成要素の一部が脱落するような不具合が発生することを防止することができる。
【００３３】
図９は、本考案の別の実施態様にかかる先施工アンカーの設置構造体１５の略縦断面図である。
【００３４】
図９に示されるように、本実施態様にかかる先施工アンカーの設置構造体１５においては、型枠固定リング１１に代えて、台座２５を固定するための一対の台座固定用部材２０ａ、２０ｂが溶接などによって、スキンプレート１２の内側の面に設けられている。一対の台座固定用部材２０ａ、２０ｂにはそれぞれ開口部２１ａ、２１ｂが形成されている。
【００３５】
図１０は、一対の台座固定用部材２０ａ、２０ｂが設けられたスキンプレート１２の略上面図であり、図１１は、台座固定用部材２０ａを図１０の矢印Ａの方向から見た略正面図であり、図１２は、台座固定用部材２０ｂを図１０の矢印Ｂの方向から見た略正面図である。
【００３６】
図１０に示されるように、一対の台座固定用部材２０ａ、２０ｂの間のスキンプレート１２には、先施工アンカー３の最大外径よりも大きい径を有する孔２３が形成されている。
【００３７】
また、図１１および図１２に示されるように、一対の台座固定用部材２０ａ、２０ｂにはそれぞれ矩形状の開口部２１ａ、２１ｂが形成されている。
【００３８】
図９に示されるように、一対の台座固定用部材２０ａ、２０ｂの間のスキンプレート１２の内側の面には、台座２５が配置されている。台座２５は、その上面が下面に対して傾斜している。かかる形状の台座２５は、その高さが高い側が台座固定用部材２０ａの近傍に位置し、その高さが低い側が台座固定用部材２０ｂの近傍に位置するように配置されている。本実施態様においては、台座２５の上表面と台座固定用部材２０ａ、２０ｂとの間に楔状部材２２を挿入することによって、台座２５をスキンプレート１２の内側の面に固定するように構成されている。
【００３９】
図１３は楔状部材２２の略正面図で、図１４は図１３のＣ−Ｃ線に沿った略断面図である。
【００４０】
図１３に示されるように、楔状部材２２は馬蹄形をなし、図１４に示されるように、一端部から他端部に向けて、その厚さが徐々に小さくなるように構成されている。
【００４１】
図１５は、台座固定用部材２０ａの開口部２１ａに、台座２５の上表面に沿って、楔状部材２２が挿入されたときの台座固定用部材２０ａの略正面図で、図１６は、台座固定用部材２０ｂの開口部２１ｂに、台座２５の上表面に沿って、楔状部材２２が挿入されたときの台座固定用部材２０ｂの略正面図である。
【００４２】
図１５に示されるように、台座固定用部材２０ａの開口部２１ａは台座２５によって塞がれていない開口面積が小さく、他方、図１４に示されるように、台座固定用部材２０ｂの開口部２１ｂは台座２５によって塞がれていない開口面積が大きくなっている。
【００４３】
したがって、図９に示されるように、スキンプレート１２の内側の面に台座２５が配置されている場合に、一対の台座固定用部材２０ａ、２０ｂの開口部２１ａ、２１ｂに所定の断面形状の楔状部材２２が挿通することによって、台座２５がスキンプレート１２の内側の面に強固に押し付けられるようにすることができる。
【００４４】
次いで、先施工アンカー３を設置する場合には、図１ないし図８に示された好ましい実施態様と同様に、先施工アンカーユニット５を組み立て、組み立てられた先施工アンカーユニット５が一対の台座固定用部材２０ａ、２０ｂの間のスキンプレートに形成された先施工アンカー３の最大外径よりも大きい径を有する孔２３に挿入される。
【００４５】
さらに、厚さの小さい他端部から、台座２５の上面に沿って、楔状部材２２を一対の台座固定用部材２０ａ、２０ｂの開口部２１ａ、２１ｂに挿通させる。
【００４６】
厚さの小さい他端部から、台座２５の上面に沿って、楔状部材２２を一対の台座固定用部材２０ａ、２０ｂの開口部２１ａ、２１ｂに挿通させると、図１５に示されるように、台座固定用部材２０ａの開口部２１ａの上端と台座２５との間には、楔状部材２２が挿入されて、台座２５がスキンプレート１２の表面に押し付けられ、一方、図１６に示されるように、台座固定用部材２０ｂの開口部２１ｂの上端と台座２５との間には、楔状部材２２が挿入されて、台座２５がスキンプレート１２の表面に押し付けられ、台座２５がスキンプレート１２の表面上に固定される。
【００４７】
次いで、スチールフォームのスキンプレート１２の外側に二次覆工コンクリート１４が打設される。
【００４８】
こうして打設された二次覆工コンクリート１４が固化した後、前記実施態様と同様に、アンカー固定ボルト２が回転されて、アンカー固定ボルト２の外周面に形成されたねじ２ａと先施工アンカー３の孔４の内周面に形成されたねじ４ａとの間の係合が解除されて、アンカー固定ボルト２が先施工アンカー３から撤去される。
【００４９】
さらに、楔状部材２２を、一対の台座固定用部材２０ａ、２０ｂに形成された開口部２１ａ、２１ｂから引き抜き、台座２５が一対の台座固定用部材２０ａ、２０ｂから撤去され、スチールフォーム１０が解体され、スキンプレート１２がコンクリート面から取り去られると、図８に示されたのと同様に、先施工アンカー３の設置が完了する。
【００５０】
本実施態様によれば、台座２５に挿通したアンカー固定ボルト２を先施工アンカー３の孔４内に挿入し、アンカー固定ボルト２を回転させて、アンカー固定ボルト２の外周面に形成されたねじ２ａを、先施工アンカー３の孔４の内周面に形成されたねじ４ａに螺合させることによって、先施工アンカーユニット５が組み立てられ、先施工アンカーユニット５がスキンプレート１２の内側の面に形成された一対の台座固定用部材２０ａ、２０ｂの間の孔２３に挿入され、台座２５がスキンプレート１２に当接すると、楔状部材２２が高さの低い矩形状の断面を有する先端部から、台座固定用部材２０ｂに形成された開口部２１ｂに挿通され、さらに、台座２５の上面に沿って、台座固定用部材２０ａに形成された開口部２１ａに挿通されて、楔状部材２２によって、台座２５がスキンプレート１２の内側面に押し付けられ、その結果、台座２５が強固に固定されて、先施工アンカーユニット５がスキンプレート１２に固定される。その後、スキンプレート１２の外側に二次覆工コンクリート１４を打設し、二次覆工コンクリート１４が固化した後、アンカー固定ボルト２が回転されて、アンカー固定ボルト２の外周面に形成されたねじ２ａと先施工アンカー３の孔４の内周面に形成されたねじ４ａとの間の係合が解除されて、アンカー固定ボルト２が先施工アンカー３から撤去され、さらに、楔状部材２２が、一対の台座固定用部材２０ａ、２０ｂに形成された開口部２１ａ、２１ｂから引き抜かれて、台座２５が一対の台座固定用部材２０ａ、２０ｂから撤去され、スチールフォームが解体され、スキンプレート１２がコンクリート面から取り去られると、図８に示されたのと同様に、先施工アンカー３の設置が完了するように構成されている。したがって、本実施態様によれば、スチールフォームの内側からの作業のみで、また、従来のように、二次覆工コンクリート１４にドリルなどを用いて、先施工アンカー３を打設する必要がなく、きわめて容易に、先施工アンカー３を所望のように設置することが可能になる。
【００５１】
また、本実施態様によれば、楔状部材２２を高さの低い他端部から、一対の台座固定用部材２０ｂ、２０ａに形成された開口部２１ｂ、２１ａに挿通させると、楔状部材２２によって、台座２５がスキンプレート１２の内側面に押し付けられ、台座２５が強固に固定されるように構成されているから、コンクリートの流動圧力によって、先施工アンカーの設置構造体１５が変形したり、先施工アンカーの設置構造体１５の構成要素の一部が脱落したりするような不具合が発生することを防止することができる。
【００５２】
本考案は、以上の実施態様に限定されることなく、実用新案登録請求の範囲に記載された考案の範囲内で種々の変更が可能であり、それらも本考案の範囲内に包含されるものであることはいうまでもない。
【００５３】
たとえば、図１ないし図８に示された実施態様においては、台座１の外面に形成されたねじ１ａと、型枠固定リング１１の内面に形成されたねじ１１ａとを噛合させることによって、先施工アンカーユニット５がスチールフォームのスキンプレート１２に固定され、図９に示された実施態様においては、楔状部材２２を高さの低い他端部から、スキンプレート１２に設けられた台座固定用部材２０ａ、２０ｂに形成された開口部２１ａ、２１ｂに挿通させ、楔状部材２２によって、台座２５をスキンプレート１２の内側の面に押し付けて、先施工アンカーユニット５がスチールフォームのスキンプレート１２に固定されているが、コンクリートの流動圧力によって、先施工アンカーユニット５が変形したり、先施工アンカーユニット５の構成要素の一部が脱落するような不具合が生じることがなければよく、先施工アンカーユニット５をスチールフォームのスキンプレート１２に固定する方法はとくに限定されるものではない。
【符号の説明】
【００５４】
１  台座
１ａ  ねじ
２  アンカー固定ボルト
２ａ  ねじ
３  先施工アンカー
４  先施工アンカーの孔
４ａ  ねじ
５  先施工アンカーユニット
１１  型枠固定リング
１１ａ  ねじ
１２  スキンプレート
１３  スキンプレートに形成された孔
１４  二次覆工コンクリート
１５  先施工アンカーの設置構造体
２０ａ、２０ｂ  台座固定用部材
２１ａ、２１ｂ  台座固定用部材に形成された開口部
２２  楔状部材
２３  スキンプレートに形成された孔
２５  台座
【図１】
0003184126.tif 000003
【図２】
0003184126.tif 000004
【図３】
0003184126.tif 000005
【図４】
0003184126.tif 000006
【図５】
0003184126.tif 000007
【図６】
0003184126.tif 000008
【図７】
0003184126.tif 000009
【図８】
0003184126.tif 000010
【図９】
0003184126.tif 000011
【図１０】
0003184126.tif 000012
【図１１】
0003184126.tif 000013
【図１２】
0003184126.tif 000014
【図１３】
0003184126.tif 000015
【図１４】
0003184126.tif 000016
【図１５】
0003184126.tif 000017
【図１６】
0003184126.tif 000018